(57)【要約】      （修正有）【課題】保冷剤を用いて身体を冷やすときに、過冷却や不快感を抑えられる保冷剤用ケースを提供する。【解決手段】保冷剤２００を収納し、メッシュ状に成形された第１のケース本体１０１と第２のケース本体１０２とを備え、使用状態では、保冷剤用ケース１００は、閉じた薄箱形状となる。保冷剤２００は、保冷剤用ケース１００にちょうど納まるサイズとすればよく、保冷剤２００が第１のケース本体１０１の底面（メッシュ状部１０４の底部）や第２のケース本体１０２の底面（メッシュ状部１１０の底部）に接する。第１のケース本体１０１の底面（メッシュ状部１０４の底部）を被冷却面に接触させると、メッシュ状部１０４が形成する空隙により、保冷剤用ケース１００に収納された保冷剤２００と被冷却面との間に空気層が確保される。【選択図】図１
0003220042.tif 000002
【実用新案登録請求の範囲】
【請求項１】
保冷剤を出し入れ可能に収納する保冷剤用ケースであって、
当該保冷剤用ケースを被冷却面に接触させた状態で、当該保冷剤用ケースに収納された前記保冷剤と前記被冷却面との間に空気層が確保されることを特徴とする保冷剤用ケース。
【請求項２】
当該保冷剤用ケースはメッシュ状に成形され、これにより形成される空隙が前記空気層となることを特徴とする請求項１に記載の保冷剤用ケース。
【請求項３】
当該保冷剤用ケースには複数の穴が形成され、これにより形成される空隙が前記空気層となることを特徴とする請求項１に記載の保冷剤用ケース。
【請求項４】
当該保冷剤用ケースに収納された前記保冷剤と当該保冷剤用ケースとの間に、空気層となる空隙が確保されていることを特徴とする請求項１に記載の保冷剤用ケース。
【請求項５】
合成樹脂製であることを特徴とする請求項１乃至４のいずれか１項に記載の保冷剤用ケース。
【請求項６】
請求項１乃至５のいずれか１項に記載の保冷剤用ケースと、
前記保冷剤用ケースを収納可能なポケットが設けられた衣服本体とを備えたことを特徴とする冷却機能付き衣服。
【請求項７】
前記衣服本体は、伸縮性のある生地からなり、着用者の身体に圧をかけるものであることを特徴とする請求項６に記載の冷却機能付き衣服。
【考案の詳細な説明】
【技術分野】
【０００１】
本考案は、保冷剤用ケース及び冷却機能付き衣服に関する。
【背景技術】
【０００２】
例えば夏場の屋外での作業時の熱中症対策や病人の解熱対策として、保冷剤を用いて身体を冷やすことが行われている。特許文献１には、後ろ身頃に冷却体を収容するポケットを設けた被服が開示されている。
【先行技術文献】
【特許文献】
【０００３】
【特許文献１】実用新案登録第３１５５５０５号公報
【考案の概要】
【考案が解決しようとする課題】
【０００４】
しかしながら、保冷剤を用いて身体を冷やすときに、保冷剤が身体に密着すると、過冷却になるおそれがあるとともに、早く溶けて保冷時間が短くなってしまう。また、保冷剤が身体に密着すると、温度差により、保冷剤の表面に結露が生じ、それが不快感につながる。
【０００５】
本考案は上記のような点に鑑みてなされたものであり、保冷剤を用いて身体を冷やすときに、過冷却や不快感を抑えられるようにすることを目的とする。
【課題を解決するための手段】
【０００６】
本考案の保冷剤用ケースは、保冷剤を出し入れ可能に収納する保冷剤用ケースであって、当該保冷剤用ケースを被冷却面に接触させた状態で、当該保冷剤用ケースに収納された前記保冷剤と前記被冷却面との間に空気層が確保されることを特徴とする。
また、本考案の保冷剤用ケースの他の特徴とするところは、当該保冷剤用ケースはメッシュ状に成形され、これにより形成される空隙が前記空気層となる点にある。
また、本考案の保冷剤用ケースの他の特徴とするところは、当該保冷剤用ケースには複数の穴が形成され、これにより形成される空隙が前記空気層となる点にある。
また、本考案の保冷剤用ケースの他の特徴とするところは、当該保冷剤用ケースに収納された前記保冷剤と当該保冷剤用ケースとの間に、空気層となる空隙が確保されている点にある。
また、本考案の保冷剤用ケースの他の特徴とするところは、合成樹脂製である点にある。
本考案の冷却機能付き衣服は、本考案の保冷剤用ケースと、前記保冷剤用ケースを収納可能なポケットが設けられた衣服本体とを備えたことを特徴とする。
また、本考案の冷却機能付き衣服の他の特徴とするところは、前記衣服本体は、伸縮性のある生地からなり、着用者の身体に圧をかけるものである点にある。
【考案の効果】
【０００７】
本考案によれば、保冷剤を用いて身体を冷やすときに、過冷却や不快感を抑えることができる。
【図面の簡単な説明】
【０００８】
【図１】保冷剤用ケースの一例を示す斜視図である。
【図２】第１のケース本体を示す斜視図である。
【図３】第２のケース本体を示す斜視図である。
【図４】保冷剤用ケースにおける空気層を説明するための図である。
【図５】保冷剤用ケースの変形例を示す斜視図である。
【図６】保冷剤用ケースの変形例を示す斜視図である。
【図７】保冷剤用ケースにおける空気層を説明するための図である。
【図８】冷却機能付き衣服の一例を示す図である。
【図９】保冷剤用ケースの出し入れを説明するための図である。
【考案を実施するための形態】
【０００９】
以下、添付図面を参照して、本考案の好適な実施形態について説明する。
図１〜図４に、実施形態に係る保冷剤用ケース１００を示す。保冷剤用ケース１００は、保冷剤２００を出し入れ可能に収納するものであり、第１のケース本体１０１と、第２のケース本体１０２とを備える。なお、本考案でいう保冷剤とは、アイスパック等とも呼ばれる袋詰め等されたものをいい、公知のものを使用すればよい。
【００１０】
第１のケース本体１０１は、図２にも示すように、四辺を有する枠部１０３と、枠部１０３につながるとともに、枠部１０３よりも一段奥まるようにして設けられたメッシュ状部１０４とを有し、枠部１０１に囲まれた開口を有する薄箱形状となっている。第１のケース本体１０１は、軟質であるが、ある程度の保形性を有するものが好ましく、例えばナイロン等の合成樹脂製とする。
【００１１】
枠部１０３の辺部１０３ａには、外側方に突出する突出部１０５が一体成形され、突出部１０５にスナップ１０６が設けられている。スナップ１０６は、例えばポリアセタール等の合成樹脂製とする。
【００１２】
また、辺部１０３ａに対向する辺部１０３ｂには、辺部１０３ｂと平行に延びる溝部１０７が設けられている。辺部１０３ｂの中央部分を細くし、そこに開口面よりも突出するように、かつ、外側方に突出するように溝部１０７が一体成形され、この溝部１０７に、辺部１０３ｂと平行に溝１０８が形成されている。
【００１３】
第２のケース本体１０２は、図３にも示すように、四辺を有する枠部１０９と、枠部１０９につながるとともに、枠部１０９よりも一段奥まるようにして設けられたメッシュ状部１１０とを有し、枠部１０９に囲まれた開口を有する薄箱形状となっている。第２のケース本体１０２は、第１のケース本体１０１と同じく、例えばナイロン等の合成樹脂製とする。
【００１４】
枠部１０９の辺部１０９ａには、外側方に突出する突出部１１１が一体成形され、突出部１１１にスナップ１１２が設けられている。スナップ１１２は、第１のケース本体１０１のスナップ１０６と対をなして相互に係止するものであり、例えばポリアセタール等の合成樹脂製とする。
【００１５】
また、辺部１０９ａに対向する辺部１０９ｂには、第１のケース本体１０１の溝部１０７の溝１０８に挿入できる丸棒状のバー部１１３が設けられている。辺部１０９ｂの中央部分をなくすようにし、途切れた辺部１０９ｂ間を掛け渡すようにして、辺部１０９ｂと平行に延びるバー部１１３が一体成形される。バー部１１３とメッシュ部１１０との間には開口部１１４が形成されており、第１のケース本体１０１の溝部１０７と干渉しないようになっている。
【００１６】
本実施形態に係る保冷剤用ケース１００では、第１のケース本体１０１と第２のケース本体１０２とを大きく開いたような状態にして、第１のケース本体１０１の溝部１０７の溝１０８に、第２のケース本体１０２のバー部１１３を挿入して、第１のケース本体１０１と第２のケース本体１０２とを組み付ける。このように溝部１０７の溝１０８とバー部１１３とを係合させ、バー部１１３が溝１０８内で回ることにより、第１のケース本体１０１と第２のケース本体１０２とを開閉することができる。なお、図１に、第１のケース本体１０１の開口と第２のケース本体１０２の開閉を矢印で表す。
なお、例えば第１のケース本体１０１の辺部１０３ｂと第２のケース本体１０２の辺部１０９ｂとを薄板部でつなぎ、この薄板部を折り曲げるようにしたヒンジ構造としてもよいが、本実施形態では、開閉の繰り返しによる劣化を避けるために、第１のケース本体１０１と第２のケース本体１０２とを分離させて、溝部１０７とバー部１１３とを係合させる引っ掛け構造を採用している。
【００１７】
以上のようにした保冷剤用ケース１００を使用するときは、保冷剤２００を収納し、第１のケース本体１０１と第２のケース本体１０２とを閉じて、スナップ１０６、１１２を係止させる。
この使用状態では、保冷剤用ケース１００は、閉じた薄箱形状となる。保冷剤２００は、保冷剤用ケース１００にちょうど納まるサイズとすればよく、図４に示すように、保冷剤２００が第１のケース本体１０１の底面（メッシュ状部１０４の底部）や第２のケース本体１０２の底面（メッシュ状部１１０の底部）に接するようにしてもよい。例えば第１のケース本体１０１の底面（メッシュ状部１０４の底部）を身体（被冷却面）１１５に接触させると、メッシュ状部１０４が形成する空隙１２１により、保冷剤用ケース１００に収納された保冷剤２００と被冷却面１１５との間に空気層が確保される。これにより、過冷却を避けるとともに、保冷時間が短くなるのを防ぎ、また、保冷剤の表面に結露が生じるのを防ぐことができ、保冷剤２００を用いて身体を冷やすときに、過冷却や不快感を抑えることができる。なお、第２のケース本体１０２の底面を身体の被冷却面１１５に接触させるときも同様である。
【００１８】
また、保冷剤用ケース１００はメッシュ状に成形されているので、衣服のポケットに収納して使用するときに、ポケットの生地との間で引っ掛かりが生じ、保冷剤用ケース１００が脱落しにくい。
なお、衣服のポケットに収納することを想定して、具体的には図示しないが、保冷剤用ケース１００の適所に係止部を設けておき、衣服側に設けた係止部と係合させるような形態としてもよい。例えば衣服側に、係止部として、カラビナのように開閉可能なリングを設けておき、保冷剤用ケース１００に、係止部として、リングを通す穴部を設けるようにすればよい。
【００１９】
以下、本考案を適用した保冷剤用ケースの変形例を説明する。なお、実施形態に係る保冷剤用ケース１００と共通する構成には同一の符号を付して、その説明を省略し、実施形態に係る保冷剤用ケース１００との相違点を中心に説明する。
図５に示すは、保冷剤用ケース１００に複数の穴を形成したタイプである。具体的には、第１のケース本体１０１をメッシュ状に成形するのではなく、通常の薄箱形状、すなわち底面１１６と４つの側面１１８とを有する薄箱形状とし、底面１１６に多数の穴１２０を形成する（図５では一部の穴１２０のみ図示する）。同様に、第２のケース本体１０２をメッシュ状に成形するのではなく、通常の薄箱形状、すなわち底面１１７と４つの側面１１９とを有する薄箱形状とし、底面１１７に多数の穴１２０を形成する。この場合も、第１のケース本体１０１及び第２のケース本体１０２のいずれかの底面１１６、１１７を被冷却面１１５に接触させると、図４に示すのと同様、各穴１２０が形成する空隙１２１により、保冷剤用ケース１００に収納された保冷剤２００と被冷却面１１５との間に空気層が確保される。
【００２０】
図６に示すは、第１のケース本体１０１及び第２のケース本体１０２を、通常の薄箱形状、すなわち底面１１６、１１７と４つの側面１１８、１１９とを有する薄箱形状としたタイプである。本例では、保冷剤２００を収納し、第１のケース本体１０１と第２のケース本体１０２とを閉じて、スナップ１０６、１１２を係止させる使用状態において、図７に示すように、保冷剤用ケース１００に収納された保冷剤２００と底面１１６、１１７との間に、空気層となる空隙１２２が確保される構造としておく。この場合、第１のケース本体１０１及び第２のケース本体１０２のいずれかの底面１１６、１１７を被冷却面１１５に接触させると、保冷剤用ケース１００に収納された保冷剤２００と被冷却面１１５との間に空隙１２２により空気層が確保される。
【００２１】
本考案を適用した保冷剤用ケースは、例えばそれを収納可能なポケットが設けられた衣服本体とセットにして、冷却機能付き衣服として販売に供されるようにしてもよい。
図８（ａ）〜（ｃ）に、冷却機能付き衣服の一例としてノースリーブタイプのインナーシャツを示す。
インナーシャツは、衣服本体１は、前身頃２と、左右の脇身頃３と、左右の肩部４と、後身頃５と、スタンドカラー６とを、ウーリースピンテープ７を用いて縫い合わせて構成される。
インナーシャツの被服本体１は、伸縮性のある生地からなり、着用者の身体に圧をかける。このような衣服は、コンプレッションウェアや着圧ウェアとも呼ばれる。生地の素材は限定されるものではないが、例えばポリエステルやナイロン及びポリウレタンを含む素材とすればよい。
【００２２】
図８（ａ）、（ｂ）に示すように、衣服本体１の内側であって、アームホール８の下、すなわち左右の脇下部位に、保冷剤収納用のポケット９が配置される。ポケット９は、伸縮性のある生地からなり、例えば衣服本体１と同素材が用いられる。ポケット９は、左右及び下部が衣服本体１に縫い合わされ、上部９ａが開口している。なお、ポケット９の左右は、脇身頃３を前身頃２及び後身頃５に縫い合わせるウーリースピンテープ７を利用して衣服本体１に縫い合わせるようにすればよい。
図９（ａ）に示すように、ポケット９の上部９ａの開口から保冷剤用ケース１００を出し入れすることができる。ポケット９の深さは、保冷剤用ケース１００の挿脱方向の長さＬよりも深くして、保冷剤用ケース１００の全体を収納して覆うようにする。また、ポケット９の幅は、保冷剤用ケース１００の幅Ｗと同程度とすればよい。
【００２３】
また、図８（ｃ）に示すように、衣服本体１の内側であって、背中側の首下部位に、保冷剤収納用のポケット１０が配置される。ポケット１０は、伸縮性のある生地からなり、例えば衣服本体１と同素材が用いられる。ポケット１０は、左右及び下部が衣服本体１に縫い合わされ、上部１０ａが開口している。なお、本実施形態では、後身頃５が真ん中及び左右の３枚の布を縫い合わせた構成となっており、ポケット１０の左右は、後身頃５を縫い合わせるウーリースピンテープ７を利用して衣服本体１に縫い合わせるようにすればよい。
図９（ｂ）に示すように、ポケット１０の上部１０ａの開口から保冷剤用ケース１００を出し入れすることができる。ポケット１０の深さは、保冷剤用ケース１００の挿脱方向の長さＬよりも深くして、保冷剤用ケース１００の全体を収納して覆うようにする。また、ポケット１０の幅は、保冷剤用ケース１００の幅Ｗと同程度とすればよい。
【００２４】
このようにしたインナーシャツは、着用者の身体に密着するので、ポケット９、１０に収納した保冷剤用ケース１００も着用者の身体に密着して、高い冷却効果が得られる。その際に、上述したように、保冷剤用ケース１００に収納された保冷剤２００と被冷却面１１５との間に空気層が確保されるので、過冷却や不快感を抑えることができる。脇下や首まわりは、太い血管が通り、また、リンパの集まる部分であり、そこを冷やすことにより、効果的に冷却することができる。
【００２５】
また、ポケット９、１０は伸縮性を有するので、ポケット９、１０の幅が保冷剤用ケース１００の幅Ｗと同程度であっても、保冷剤用ケース１００の出し入れがしやすく、使いやすいものになる。
そして、ポケット９、１０に保冷剤用ケース１００を収納したとき、保冷剤用ケース１００の厚み分だけポケット９、１０の生地が伸長して、保冷剤用ケース１００に圧をかけた状態になる。これにより、保冷剤用ケース１００がずれ動きにくくなり、着用感を高めるとともに、保冷剤１１の脱落を防ぐことができる。
【００２６】
以上のように、高い冷却効果が得られるとともに、着用感に優れ、使いやすい衣服を提供することができる。
なお、ここではノースリーブタイプのインナーシャツを例示したが、そのデザイン等は限定されるものではなく、半袖タイプや長袖タイプでもよい。また、インナーシャツに限らず、例えばズボンにも適用することができる。
【００２７】
以上、本考案を実施形態と共に説明したが、上記実施形態は本考案を実施するにあたっての具体化の例を示したものに過ぎず、これらによって本考案の技術的範囲が限定的に解釈されてはならないものである。すなわち、本考案はその技術思想、又はその主要な特徴から逸脱することなく、様々な形で実施することができる。また、実施形態を適宜組み合わせてもよい。
上記実施形態で説明した保冷剤用ケース１００の構造やデザイン等は一例に過ぎず、保冷剤２００を出し入れ可能に収納できるものであれば、どのようなものでもよい。また、各部の材質も一例に過ぎず、保冷剤用ケース１００は、合成樹脂製に限らず、金属製等にしてもよい。
【符号の説明】
【００２８】
１００：保冷剤用ケース、１０１：第１のケース本体、１０２：第２のケース本体、１０３、１０９：枠部、１０４、１１０：メッシュ状部、１２０：穴、１２１、１２２：空隙、２００：保冷剤
【図１】
0003220042.tif 000003
【図２】
0003220042.tif 000004
【図３】
0003220042.tif 000005
【図４】
0003220042.tif 000006
【図５】
0003220042.tif 000007
【図６】
0003220042.tif 000008
【図７】
0003220042.tif 000009
【図８】
0003220042.tif 000010
【図９】
0003220042.tif 000011